(57)【要約】伴奏曲データを送信する伴奏曲配信サーバと楽曲データを送信する楽曲配信サーバと伴奏曲配信サーバおよび楽曲配信サーバから送信される伴奏曲データおよび楽曲データを受信して記憶する楽音販売装置とを通信回線を介して相互に接続し、楽音販売装置に記憶された伴奏曲データまたは楽曲データを出力して、カラオケ歌唱を行い、またカラオケ歌唱を記録媒体に録音し、さらに楽曲を記録媒体に録音し、さらにまた楽曲を再生して出力し、楽曲を販売し、音楽を聴取する。
2002041298.tif 000002
【特許請求の範囲】
【請求項１】
通信回線を介して伴奏曲データを送信する伴奏曲配信サーバと、通信回線を介して楽曲データを送信する楽曲配信サーバと、伴奏曲配信サーバおよび楽曲配信サーバから送信される伴奏曲データおよび楽曲データを受信して記憶する楽音販売装置とを含み、楽音販売装置に記憶された伴奏曲データまたは楽曲データを出力する楽音販売システムであって、
前記楽音販売装置は、記憶した伴奏曲データを与えられた出力要求に基づいて出力する伴奏曲出力手段と、記憶した楽曲データを与えられた出力要求に基づいて出力する楽曲出力手段と、伴奏曲出力手段または楽曲出力手段から与えられる伴奏曲データまたは楽曲データを音響信号として出力する音響信号出力手段と、音声信号を入力する音声信号入力手段と、伴奏曲出力手段から与えられる伴奏曲データ、楽曲出力手段から与えられる楽曲データおよび音声信号入力手段から入力される音声信号に対応する音声データのうち少なくとも１つ以上のデータを記録媒体に書き込む書込み手段とを備えたことを特徴とする楽音販売システム。
【請求項２】
楽音販売装置は、伴奏曲データおよび楽曲データの出力ならびに伴奏曲データ、楽曲データおよび音声データの記録媒体への書き込みに係る対価を領収する料金領収手段を備えることを特徴とする請求項１記載の楽音販売システム。
【請求項３】
楽音販売装置は、楽曲毎に付与される楽曲固有の曲番号を指定して出力すべき楽曲を指定することができる音楽指定手段を有し、楽曲固有の曲番号を用いて楽曲に対応する伴奏曲を指定することができることを特徴とする請求項１または２に記載の楽音販売システム。
【請求項４】
通信回線を介して伴奏曲データを送信する伴奏曲配信サーバと、通信回線を介して楽曲データを送信する楽曲配信サーバと、伴奏曲配信サーバおよび楽曲配信サーバから送信される伴奏曲データおよび楽曲データを受信して記憶する楽音販売装置とを含み、前記楽音販売装置において伴奏曲データおよび楽曲データの再生出力を行う楽音販売方法であって、
伴奏曲データまたは楽曲データを伴奏曲配信サーバまたは楽曲配信サーバに入力して記憶するステップである配信データ準備ステップと、
伴奏曲配信サーバまたは楽曲配信サーバから楽音販売装置に伴奏曲データまたは楽曲データを送信するステップである配信データ送信ステップと、
楽音販売装置が伴奏曲データまたは楽曲データを受信するステップである配信データ受信ステップと、
受信した配信データを楽音販売装置に備えられた記憶手段に記憶するステップである配信データ記憶ステップと、
出力する伴奏曲データまたは楽曲データを指定するステップである出力データ指定ステップと、
出力データに対応する伴奏曲データまたは楽曲データを記憶手段から読み出すステップである出力データ読み出しステップと、
読み出した伴奏曲データまたは楽曲データを出力するステップである出力ステップとを含むことを特徴とする楽音販売方法。
【請求項５】
伴奏曲データ、楽曲データおよび音声データのうち少なくとも１つ以上のデータを記録媒体に書き込むステップである書き込みステップを、さらに含むことを特徴とする請求項３記載の楽音販売方法。
【請求項６】
出力データ指定ステップにおける伴奏曲データおよび楽曲データの指定は、楽曲毎に付与される楽曲固有の曲番号を指定して出力すべき楽曲または伴奏曲を指定することができる音楽指定手段を用いて曲番号を入力して行うことを特徴とする請求項４または５に記載の楽音販売方法。
【請求項７】
伴奏曲データおよび楽曲データの出力ならびに伴奏曲データ、楽曲データおよび音声データの記録媒体への書き込みに係る対価を領収するステップである料金領収ステップを、さらに含むことを特徴とする請求項３または４に記載の楽音販売方法。
【請求項８】
音楽の提供を担当する音楽担当者から販促および販売の委託を受けた配信担当者は音楽配信サーバを用いて伴奏曲データおよび楽曲データを配信し、
配信担当者から楽音販売装置の貸し出しを受けた装置担当者は、楽音販売装置の設置場所を提供する運営担当者に楽音販売装置を貸し出し、
装置担当者から楽音販売装置の貸し出しを受けた運営担当者は、楽音販売装置を楽音の購入者である利用者に楽音販売装置の利用を許容し、
楽音販売装置の利用者が楽音販売装置を用いて出力または購入する楽音の対価を領収することを特徴とする請求項４〜７のいずれか１項に記載の楽音販売方法。
【請求項９】
通信手段を用いて受信した伴奏曲データを記憶手段に記憶し、記憶手段に記憶した伴奏曲データを与えられる出力要求に基づいて出力する伴奏曲出力手段と、
通信手段を用いて受信した楽曲データを記憶手段に記憶し、記憶手段に記憶した楽曲データを与えられる出力要求に基づいて出力する楽曲出力手段と、
伴奏曲出力手段または楽曲出力手段から与えられる伴奏曲データまたは楽曲データを音響信号に変換して出力する音響信号出力手段と、
音声信号を入力する音声信号入力手段と、
伴奏曲出力手段から与えられる伴奏曲データ、楽曲出力手段から与えられる楽曲データおよび音声信号入力手段から入力される音声信号に対応する音声データのうち少なくとも１つ以上のデータを記録媒体に書き込む書込み手段とを備えたことを特徴とする楽音販売装置。
【発明の詳細な説明】
【技術分野】
本発明は、伴奏曲を自動演奏するとともに伴奏曲に併せて行う歌唱の歌声を伴奏曲とともに記録媒体に記録することができ、伴奏曲および歌声を含む楽曲を出力する楽音販売システムおよび楽音販売システムを用いた楽音販売方法に関する。
【背景技術】
予め作成され音響出力される伴奏曲に併せて歌唱を行ういわゆるカラオケは、娯楽の一種として老若男女を問わず広く普及している。このようなカラオケに用いられるカラオケ装置においては、レーザーディスク、ビデオディスク等の記録媒体に記録された画像データおよび文字データをカラオケ装置に付属して備えられたディスプレイ装置などの表示手段に出力するとともに、マイクなどの音響入力手段を用いて入力される音声信号と記録媒体から読み出され出力される伴奏曲などの音響データとを、スピーカなどの音響出力手段を用いて出力する。先行技術のカラオケ装置においては、部屋に設置される据置形カラオケ装置本体において、レーザーディスクまたはビデオディスクなどの記録媒体を再生し、このカラオケ装置本体には、可撓線を介して携帯形マイクロホンが接続され、マイクロホンからの音声信号と、カラオケ装置本体で再生された伴奏曲とを、スピーカに与えて音響を出力するとともに、陰極線管または液晶などの表示装置に、曲名および伴奏曲の歌詞などの文字と背景画像とを表示する。
このような先行技術のカラオケ装置においては、伴奏曲に併せて行う歌唱の歌声を伴奏曲とともに録音することができない。また先行技術のカラオケ装置においては、伴奏曲データを音響出力するだけであって、たとえば歌唱を職業とする歌手の歌唱の歌声と伴奏曲とを同時に出力する楽曲を音響出力することができない。
本発明の目的は、いわゆるカラオケ装置の機能を含み、伴奏曲に併せて行う歌唱の歌声を伴奏曲とともに録音することができるとともに、歌手の歌唱の歌声と伴奏曲とを同時に出力する楽曲を音響出力することができるようにした楽音販売システムおよび楽音販売システムを用いた楽音販売方法を提供することである。
【発明の開示】
請求項１記載の本発明は、通信回線を介して伴奏曲データおよび楽曲データを送信する音楽配信サーバと、音楽配信サーバから送信される伴奏曲データおよび楽曲データを受信して記憶する楽音販売装置とを含み、楽音販売装置に記憶された伴奏曲データまたは楽曲データを出力する楽音販売システムであって、
前記楽音販売装置は、記憶した伴奏曲データを与えられた出力要求に基づいて出力する伴奏曲出力手段と、記憶した楽曲データを与えられた出力要求に基づいて出力する楽曲出力手段と、伴奏曲出力手段または楽曲出力手段から与えられる伴奏曲データまたは楽曲データを音響信号として出力する音響信号出力手段と、音声信号を入力する音声信号入力手段と、伴奏曲出力手段から与えられる伴奏曲データ、楽曲出力手段から与えられる楽曲データおよび音声信号入力手段から入力される音声信号に対応する音声データのうち少なくとも１つ以上のデータを記録媒体に書き込む書込み手段とを備えたことを特徴とする楽音販売システムである。
請求項１記載の本発明に従えば、楽音販売システムは、通信回線を介して伴奏曲データおよび楽曲データを送信する音楽配信サーバと、音楽配信サーバから送信される伴奏曲データおよび楽曲データを受信して記憶する楽音販売装置とを含み、楽音販売装置に記憶された伴奏曲データまたは楽曲データを出力する。楽音販売装置は音楽配信サーバが送信する伴奏曲データおよび楽曲データを受信し、楽音販売装置に備えられた記憶手段に受信した伴奏曲データおよび楽曲データを記憶し、与えられる出力要求に基づいて伴奏曲データまたは楽曲データを、伴奏曲または楽曲として再生して出力する。
楽音販売装置には、前記伴奏曲データとともに楽音販売装置に備えられた表示装置に表示される画像データおよび歌詞などの文字データが伴奏曲配信サーバから送信される。いわゆるカラオケ歌唱を楽しむために必要な、伴奏曲データ、画像データおよび文字データを総称してカラオケデータと表現する場合がある。
また請求項１記載の本発明に従えば、楽音販売装置は、記憶した伴奏曲データを与えられた出力要求に基づいて出力する伴奏曲出力手段と、記憶した楽曲データを与えられた出力要求に基づいて出力する楽曲出力手段と、伴奏曲出力手段または楽曲出力手段から与えられる伴奏曲データまたは楽曲データを音響信号として出力する音響信号出力手段と、音声信号を入力する音声信号入力手段と伴奏曲出力手段から与えられる伴奏曲データ、楽曲出力手段から与えられる楽曲データおよび音声信号入力手段から入力される音声信号に対応する音声データのうち少なくとも１つ以上のデータを記録媒体に書き込む書込み手段とを備える。
モデムなどの受信手段を介して受信した伴奏曲データおよび楽曲データはＨＤＤ（Ｈａｒｄ　Ｄｉｓｃ　Ｄｒｉｖｅ）などの記憶手段に記憶され、与えられる出力要求に基づいて、伴奏曲データまたは楽曲データが記憶手段から読み出され、読み出された伴奏曲データまたは楽曲データは音響信号としてスピーカなどの音響信号出力手段によって出力される。伴奏曲データまたは楽曲データを楽音販売装置を利用して出力して、伴奏曲データまたは楽曲データに対応する伴奏曲または楽曲を演奏することができ、たとえばＢＧＭ（Ｂａｃｋ　Ｇｒｏｕｎｄ　Ｍｕｓｉｃ）として所望の楽曲を出力させておくことができる。また所望の楽曲を出力させて聴取することができ、音楽を楽しむことができる。楽曲の出力を希望する者から楽曲の出力に係る対価を領収するようにしてもよい。
スピーカから出力される伴奏曲データに対応する伴奏曲に併せて、マイクロホンなどの音声信号入力手段を用いて歌唱者の歌声である音声信号が入力され、歌唱を行うことができる。このようにしていわゆるカラオケを楽しむことができる。
伴奏曲データおよびマイクロホンから入力される音声信号に対応する音声データを書き込み手段を用いて、ＣＤ−Ｒ（Ｃｏｍｐａｃｔ　Ｄｉｓｃ　Ｒｅｃｏｒｄａｂｌｅ）などの記録媒体に書き込み、たとえば歌唱者は自己の歌唱を記録媒体に書き込み、いわゆる録音を行うことができる。たとえば車載用デジタルオーディオプレーヤなどに装備されたＣＤプレーヤに記録媒体であるＣＤ−Ｒを装着し、ＣＤ−Ｒに記録された自分の歌声を聞くことができる。自分の歌声を聞いて歌唱の練習を行うことができ、歌唱力を向上させることができる。
また楽曲データを書き込み手段を用いて、ＣＤ−Ｒ、スマートメディア、ＭＤ（Ｍｉｎｉ　Ｄｉｓｃ）などの記録媒体に書き込み、ＣＤプレーヤ、デジタルオーディオプレーヤ、ＭＤプレーヤなどの音響再生装置を用いて、楽音販売装置が設置されている場所以外の場所において、記録媒体に書き込まれた楽曲データに対応する楽曲を再生して聴くことができる。
なお、楽音とは、一般的には、音波が周期的に構成されていて、振動数を正確に測定でき、聴覚に快感を与える音とされているけれども、本明細書において楽音とは、前述のような意味の他に、音によって構成されるすべてのものを意味し、たとえば音楽の曲である声楽曲、器楽曲、管弦楽曲などの楽曲、自然界において聴取しうる音等を含む。また伴奏曲とは、一般的には、声楽、器楽の主奏部に合わせて他の楽器で補助的に演奏する曲とされているけれども、本明細書において楽音とは、前述のような意味の他に、人が歌詞を歌唱する声楽曲において楽器等によって演奏される曲を意味を含み、たとえば歌謡曲においては歌詞を除いた楽器等による演奏部を意味する。
また請求項２記載の本発明は、楽音販売装置は、伴奏曲データおよび楽曲データの出力ならびに伴奏曲データ、楽曲データおよび音声データの記録媒体への書き込みに係る対価を領収する料金領収手段を備えることを特徴とする。
請求項２記載の本発明に従えば、楽音販売装置は伴奏曲データおよび楽曲データの出力ならびに伴奏曲データ、楽曲データおよび音声データの記録媒体への書き込みに係る対価を領収する料金領収手段を備えるので、伴奏曲データおよび楽曲データに対応する伴奏曲または楽曲の利用または聴取についての対価を領収することができる。同様に、伴奏曲データ、楽曲データおよび音声データの記録媒体への書き込み、すなわち伴奏曲データおよび楽曲データに対応する伴奏曲および楽曲の録音についての対価を領収することができる。また音声データの記録媒体への書き込みに関して、たとえば記録媒体および装置利用に係る対価を領収することができる。楽音販売装置は料金領収手段を備えるので、たとえば楽音販売装置を無人店舗などに設置することができ、いわゆる楽音に関する自動販売機として利用することができる。また通常の有人の店舗に楽音販売装置を設置した場合には、店舗の顧客が顧客自身で楽音販売装置を操作して、所望の伴奏曲または楽曲を出力させて聴取し、記録媒体に楽曲等を録音することができ、店舗店員が接客を行う必要がない。
また請求項３記載の本発明は、楽音販売装置は、楽曲毎に付与される楽曲固有の曲番号を指定して出力すべき楽曲を指定することができる音楽指定手段を有し、楽曲固有の曲番号を用いて楽曲に対応する伴奏曲を指定することができることを特徴とする。
請求項３記載の本発明に従えば、出力すべき伴奏曲データを指定する際に入力される曲番号として、伴奏曲に対応する楽曲に付与された楽曲固有の曲番号を用いることができるので、カラオケに用いられる伴奏曲および音楽演奏において出力される楽曲の指定を容易に行うことができる。すなわち、伴奏曲および楽曲を出力する際に、異なる曲番号を入力する必要がなく、楽曲毎に付与される曲番号が判れば、伴奏曲を指定することが可能である。
さらにまた請求項４記載の本発明は、通信回線を介して伴奏曲データおよび楽曲データを送信する音楽配信サーバと、音楽配信サーバから送信される伴奏曲データおよび楽曲データを受信して記憶する楽音販売装置とを含み、前記楽音販売装置において伴奏曲データおよび楽曲データの再生出力を行う楽音販売方法であって、
伴奏曲データまたは楽曲データを音楽配信サーバに入力して記憶するステップである配信データ準備ステップと、
音楽配信サーバから楽音販売装置に伴奏曲データまたは楽曲データを送信するステップである配信データ送信ステップと、
楽音販売装置が伴奏曲データまたは楽曲データを受信するステップである配信データ受信ステップと、
受信した配信データを楽音販売装置に備えられた記憶手段に記憶するステップである配信データ記憶ステップと、
出力する伴奏曲データまたは楽曲データを指定するステップである出力データ指定ステップと、
出力データに対応する伴奏曲データまたは楽曲データを記憶手段から読み出すステップである出力データ読み出しステップと、
読み出した伴奏曲データまたは楽曲データを出力するステップである出力ステップとを含むことを特徴とする楽音販売方法である。
請求項４記載の本発明に従えば、楽音販売方法は、通信回線を介して伴奏曲データおよび楽曲データを送信する音楽配信サーバと、音楽配信サーバから送信される伴奏曲データおよび楽曲データを受信して記憶手段に記憶する楽音販売装置とを含み、前記楽音販売装置において伴奏曲データおよび楽曲データの再生出力を行うことができる。
本発明に係る楽音販売方法は、伴奏曲データまたは楽曲データを音楽配信サーバに入力して記憶するステップである配信データ準備ステップと、音楽配信サーバから楽音販売装置に伴奏曲データまたは楽曲データを送信するステップである配信データ送信ステップと、楽音販売装置が伴奏曲データまたは楽曲データを受信するステップである配信データ受信ステップと、受信した配信データを楽音販売装置に備えられた記憶手段に記憶するステップである配信データ記憶ステップと、出力する伴奏曲データまたは楽曲データを指定するステップである出力データ指定ステップと、出力データに対応する伴奏曲データまたは楽曲データを記憶手段から読み出すステップである出力データ読み出しステップと、読み出した伴奏曲データまたは楽曲データを出力するステップである出力ステップとを含む。
音楽配信サーバに入力される伴奏曲データまたは楽曲データは通信回線を介してして楽音販売装置に定期的または不定期に送信され、楽音販売装置が受信した伴奏曲データまたは楽曲データは、楽音販売装置に備えられたＨＤＤなどの記憶手段に記憶される。楽音販売装置の操作者は、出力する伴奏曲データまたは楽曲データを楽音販売装置に備えられた遠隔操作装置などの入力手段を用いて指定し、入力された指定信号に基づいて出力すべき伴奏曲データまたは楽曲データを記憶手段から読み出させ、伴奏曲データまたは楽曲データをスピーカなどの音響出力手段を用いて音響出力させる。したがって伴奏曲データまたは楽曲データに対応する伴奏曲または楽曲が演奏出力され、カラオケまたは楽音聴取を行うことができる。記憶手段に記憶された伴奏曲データのうちから出力する伴奏曲データを指定して出力させ、マイクロホンなどの音声信号入力手段を用いて伴奏曲データに対応する伴奏曲に併せて歌唱を行い、カラオケを楽しむことができる。
さらにまた請求項５記載の本発明は、伴奏曲データ、楽曲データおよび音声データのうち少なくとも１つ以上のデータを記録媒体に書き込むステップである書き込みステップを、さらに含むことを特徴とする。
請求項５記載の本発明に従えば、伴奏曲データ、楽曲データおよび音声データのうち少なくとも１つ以上のデータを記録媒体に書き込むことができる。たとえば、マイクロホンなどの音声信号入力手段を用いて伴奏曲データに対応する伴奏曲に併せて歌唱を行い、その歌声に対応する音声データと伴奏曲データとを記録媒体に書き込み、カラオケ歌唱の結果として録音することができる。このようにして録音された自分の歌声を、たとえば車載用デジタルオーディオプレーヤなどに装備されたＣＤプレーヤに記録媒体であるＣＤ−Ｒを装着し、ＣＤ−Ｒに記録された自分の歌声を聞くことができる。自分の歌声を聞いて歌唱の練習を行うことができ、歌唱力を向上させることができる。また、自分の歌声を他人に聴かすことができる。さらに単に楽曲データを記録媒体に書き込み、記録媒体に書き込まれた楽曲をＣＤプレーヤ、ＭＤプレーヤ、デジタルオーディオプレーヤなどの音響再生装置を用いて再生して、楽曲を聴取することができる。
さらにまた請求項６記載の本発明は、出力データ指定ステップにおける伴奏曲データおよび楽曲データの指定は、楽曲毎に付与される楽曲固有の曲番号を指定して出力すべき楽曲または伴奏曲を指定することができる音楽指定手段を用いて曲番号を入力して行うことを特徴とする。
請求項６記載の本発明に従えば、出力データ指定ステップにおける伴奏曲データおよび楽曲データの指定は、楽曲毎に付与される楽曲固有の曲番号を指定して出力すべき楽曲または伴奏曲を指定することができる音楽指定手段を用いて曲番号を入力して行うので、伴奏曲または楽曲の出力を楽曲毎に付与された楽曲固有の曲番号を共通に用いて、出力すべき伴奏曲または楽曲を指定して出力させることができる。
さらにまた請求項７記載の本発明は、伴奏曲データおよび楽曲データの出力ならびに伴奏曲データ、楽曲データおよび音声データの記録媒体への書き込みに係る対価を領収するステップである料金領収ステップを、さらに含むことを特徴とする。
請求項７記載の本発明に従えば、楽音販売装置は伴奏曲データおよび楽曲データの出力ならびに伴奏曲データ、楽曲データおよび音声データの記録媒体への書き込みに係る対価を領収することができる。すなわち伴奏曲データおよび楽曲データに対応する伴奏曲または楽曲の利用または聴取についての対価を領収することができる。同様に、伴奏曲データ、楽曲データおよび音声データの記録媒体への書き込み、すなわち伴奏曲データおよび楽曲データに対応する伴奏曲および楽曲の録音についての対価を領収することができる。また音声データの記録媒体への書き込みに関して、たとえば記録媒体および装置利用に係る対価を領収することができる。楽音販売装置は料金領収手段を備えるので、たとえば楽音販売装置を無人店舗などに設置することができ、いわゆる楽音に関する自動販売機として利用することができる。また通常の有人の店舗に楽音販売装置を設置した場合には、店舗の顧客が顧客自身で楽音販売装置を操作して、所望の伴奏曲または楽曲を出力させて聴取し、記録媒体に楽曲等を録音することができ、店舗店員が接客を行う必要がない。
さらにまた請求項８記載の本発明は、音楽の提供を担当する音楽担当者から販促および販売の委託を受けた配信担当者は音楽配信サーバを用いて伴奏曲データおよび楽曲データを配信し、
配信担当者から楽音販売装置の貸し出しを受けた装置担当者は、楽音販売装置の設置場所を提供する運営担当者に楽音販売装置を貸し出し、
装置担当者から楽音販売装置の貸し出しを受けた運営担当者は、楽音販売装置を楽音の購入者である利用者に楽音販売装置の利用を許容し、
楽音販売装置の利用者が楽音販売装置を用いて出力または購入する楽音の対価を領収することを特徴とする。
請求項８記載の本発明に従えば、たとえばレコード会社などの音楽担当者から音楽販売に係る販売促進および音楽販売の委託を受けた配信担当者は、音楽担当者から販売業務を目的として音楽の配信を行うために音楽の提供を受け、配信担当者は楽音販売装置の設置および保守等を担当する装置担当者に楽音販売装置を貸し与える。装置担当者は、飲食店などの店舗運営者である運営担当者に楽音販売装置を貸し出し、店舗に設置された楽音販売装置を利用して店舗の顧客である利用者がカラオケ歌唱、楽曲購入等を行うことができる。
音楽担当者から音楽である楽音の提供を受けた配信担当者は、定期的に、または不定期に運営担当者の店舗などに設置された楽音販売装置にカラオケデータおよび楽音データを配信する。運営担当者の店舗などに設置された楽音販売装置からは、定期的に、または不定期に配信担当者の管理する伴奏曲配信サーバおよび楽曲配信サーバに販売管理情報および装置管理情報が送信される。配信担当者は、楽音販売装置から送信される販売管理情報および装置管理情報に基づいて、音楽に係る著作権料、楽音販売装置を用いた楽曲販売および楽曲演奏に係る売上金などに関する情報を入手し、著作権料および売上金の管理を行う。
配信担当者から装置担当者に貸し出される楽音販売装置の貸し出しに係るレンタル料金またはリース料金などの装置使用に係る料金は、装置担当者が負担し、装置担当者から配信担当者Ｂに支払われる。また装置担当者から運営担当者に貸し出される楽音販売装置の貸し出しに係るレンタル料金またはリース料金などの装置使用に係る料金は、運営担当者が負担し、運営担当者から装置担当者に支払われる。
運営担当者の店舗等に設置された楽音販売装置の利用者が支払う楽曲演奏および楽曲販売に係る料金は運営担当者、装置担当者、配信担当者および音楽担当者に所定の割合で配分される。音楽担当者は、音楽著作権に係る著作権料を音楽著作権料を管理するたとえばＪＡＳＲＡＣ（日本音楽著作権協会）に支払う。
以上のように音楽配信に係る本発明の楽音販売方法は、音楽配信サーバおよび楽音販売装置を通信回線を介して相互に接続して各種データを送受信することによって行われる。送受信される各種データは暗号化処理を施され、さらに圧縮処理を施して送受信されるので、データの盗用、漏洩を防止することができ、著作権者の権利を保護することができる。
さらにまた請求項９記載の本発明は、通信手段を用いて受信した伴奏曲データを記憶手段に記憶し、記憶手段に記憶した伴奏曲データを与えられる出力要求に基づいて出力する伴奏曲出力手段と、
通信手段を用いて受信した楽曲データを記憶手段に記憶し、記憶手段に記憶した楽曲データを与えられる出力要求に基づいて出力する楽曲出力手段と、
伴奏曲出力手段または楽曲出力手段から与えられる伴奏曲データまたは楽曲データを音響信号に変換して出力する音響信号出力手段と、
音声信号を入力する音声信号入力手段と、
伴奏曲出力手段から与えられる伴奏曲データ、楽曲出力手段から与えられる楽曲データおよび音声信号入力手段から入力される音声信号に対応する音声データのうち少なくとも１つ以上のデータを記録媒体に書き込む書込み手段とを備えたことを特徴とする楽音販売装置である。
請求項９記載の本発明に従えば、楽音販売装置は、通信手段を用いて受信した伴奏曲データを記憶手段に記憶し、記憶手段に記憶した伴奏曲データを与えられる出力要求に基づいて出力する伴奏曲出力手段と、通信手段を用いて受信した楽曲データを記憶手段に記憶し、記憶手段に記憶した楽曲データを与えられる出力要求に基づいて出力する楽曲出力手段と、伴奏曲出力手段または楽曲出力手段から与えられる伴奏曲データまたは楽曲データを音響信号に変換して出力する音響信号出力手段と、音声信号を入力する音声信号入力手段と、伴奏曲出力手段から与えられる伴奏曲データ、楽曲出力手段から与えられる楽曲データおよび音声信号入力手段から入力される音声信号に対応する音声データのうち少なくとも１つ以上のデータを記録媒体に書き込む書込み手段とを備える。
したがって、モデムなどの受信手段を介して受信した伴奏曲データおよび楽曲データはＨＤＤなどの記憶手段に記憶され、与えられる出力要求に基づいて、伴奏曲データまたは楽曲データが記憶手段から読み出され、読み出された伴奏曲データまたは楽曲データは音響信号としてスピーカなどの音響信号出力手段によって出力される。伴奏曲データまたは楽曲データを楽音販売装置を利用して出力して、伴奏曲データまたは楽曲データに対応する伴奏曲または楽曲を演奏することができ、たとえばＢＧＭとして所望の楽曲を出力させておくことができる。また所望の楽曲を出力させて聴取することができ、音楽を楽しむことができる。楽曲の出力を希望する者から楽曲の出力に係る対価を領収するようにしてもよい。
スピーカから出力される伴奏曲データに対応する伴奏曲に併せて、マイクロホンなどの音声信号入力手段を用いて歌唱者の歌声である音声信号が入力され、歌唱を行うことができる。このようにしていわゆるカラオケを楽しむことができる。
伴奏曲データおよびマイクロホンから入力される音声信号に対応する音声データを書き込み手段を用いて、ＣＤ−Ｒなどの記録媒体に書き込み、たとえば歌唱者は自己の歌唱を記録媒体に書き込み、いわゆる録音を行うことができる。たとえば車載用デジタルオーディオプレーヤなどに装備されたＣＤプレーヤに記録媒体であるＣＤ−Ｒを装着し、ＣＤ−Ｒに記録された自分の歌声を聞くことができる。自分の歌声を聞いて歌唱の練習を行うことができ、歌唱力を向上させることができる。
また楽曲データを書き込み手段を用いて、ＣＤ−Ｒ、スマートメディア、ＭＤなどの記録媒体に書き込み、ＣＤプレーヤ、デジタルオーディオプレーヤ、ＭＤプレーヤなどの音響再生装置を用いて、楽音販売装置が設置されている場所以外の場所において、記録媒体に書き込まれた楽曲データに対応する楽曲を再生して聴くことができる。
【発明を実施するための最良の形態】
以下、添付図面を参照して、本発明に従う商品受発注システムおよび商品販売方法の好適な実施形態について説明する。図１は、本発明の実施の形態の楽音販売システム１０の全体の構成を簡略して示す概念図である。
楽音販売システム１０は、インターネット１２などを含む公衆電話回線などによって実現される通信回線１１を介して、いわゆるカラオケに用いられる楽曲等の伴奏曲に対応する伴奏曲データ２１を遠隔地に設置された通信機能を備えた楽音販売装置４０に送信する伴奏曲配信サーバ２０と、通信回線１１を介して音楽等の楽曲に対応する楽曲データ３１を楽音販売装置４０に送信する楽曲配信サーバ３０と、伴奏曲配信サーバ２０および楽曲配信サーバ３０から送信される伴奏曲データ２１および楽曲データ３１を受信して記憶する楽音販売装置４０とを含み、楽音販売装置４０に記憶された伴奏曲データ２１を含むカラオケデータ２４および楽曲データ３１を含む楽音データ３３を出力して、カラオケデータ２４および楽音を提供するサービスの対価として料金を領収する楽音販売方法に適用される楽音の販売に係るシステムである。伴奏曲配信サーバ２０および楽曲配信サーバ３０は、楽音販売装置４０から通知される売上金額等を管理する管理サーバとともに、音楽配信サーバ１５を構成する。また楽音販売システム１０は、楽音データ３３をＣＤ−Ｒ、ＭＤ、スマートメディアなどの記録媒体に書き込むことによって、利用者に楽曲を販売する楽音販売方法に適用される楽音を販売するシステムである。
いわゆるカラオケに用いられるカラオケ用の伴奏曲をデジタルデータとして配信するカラオケ配信サーバである伴奏曲配信サーバ２０は、たとえばカラオケ演奏に用いられる伴奏曲に対応する伴奏曲データ２１とともに、楽音販売装置４０に備えられたディスプレイ装置などの表示手段１７０に表示される画像に対応する画像データ２２および歌詞などの文字データ２３を通信回線１１を介して、定期的または不定期に楽音販売装置４０に送信する。伴奏曲配信サーバ２０から楽音販売装置４０に送信される伴奏曲データ２１、画像データ２２および文字データ２３を総称してカラオケデータ２４という場合がある。
伴奏曲配信サーバ２０は、本実施の形態に適合する処理を実行するための各種制御および処理を行う制御手段と、制御および処理に必要な情報が一時的または継続的に記憶されるメモリと、楽音販売装置４０にカラオケデータ２４を送信する送信手段と、楽音販売装置４０から送信される伴奏曲の利用に係る売り上げ等に関する情報である販売管理情報５１を含む端末情報５３を受信する受信手段と、たとえば伴奏曲に関する情報などの各種データを入力する入力手段と、制御手段による処理の結果である処理結果等を表示する表示手段と、カラオケデータ２４などの各種データが記憶される記憶手段とを含む。
いわゆる音楽配信において楽曲をデジタルデータとして配信する楽曲配信サーバ３０は、楽曲に対応する楽曲データ３１を楽音販売装置４０に送信するとともに、楽音販売装置４０に備えられたディスプレイ装置などの表示手段１７０に表示される画像に対応する画像データおよび楽曲に関するイベント情報などの文字データを含む楽曲情報データ３２を通信回線１１を介して、定期的または不定期に楽音販売装置４０に送信する。楽曲配信サーバ３０から楽音販売装置４０に送信される楽曲データ３１および楽曲情報データ３２を総称して楽音データ３３という場合がある。楽曲情報データ３２には、たとえば楽音である楽曲のプロモーションビデオなどの音声データおよび画像データが含まれ、またイベント情報などを内容とする告知情報である文字データが含まれる場合がある。
楽曲配信サーバ３０は、伴奏曲配信サーバ２０と略同一の構成によって実現され、本実施の形態に適合する処理を実行するための各種制御および処理を行う制御手段と、制御および処理に必要な情報が一時的または継続的に記憶されるメモリと、楽音販売装置４０に楽曲データ３１を送信する送信手段と、楽音販売装置４０から送信される楽曲の売り上げ等に関する情報である販売管理情報１０１を含む端末情報１０３を受信する受信手段と、たとえば楽曲に関する情報などの各種データを入力する入力手段と、制御手段による処理の結果である処理結果等を表示する表示手段と、楽音データ３３などの各種データが記憶される記憶手段とを含む。
伴奏曲配信サーバ２０および楽曲配信サーバ３０を構成する制御手段は、ＣＰＵ（ｃｅｎｔｒａｌ　ｐｒｏｃｅｓｓｉｎｇ　ｕｎｉｔ）等によって実現され、メモリ、送信手段、受信手段、入力手段、表示手段および記憶手段を制御するとともに、各種プログラムを実行する。
伴奏曲配信サーバ２０および楽曲配信サーバ３０を構成するメモリは、複数の電子部品等で実現され、制御手段に対してその制御動作の基本になる情報または命令の各種データが一時的または継続的にストアされるとともに、制御手段の制御に基づいて、送信手段、受信手段、入力手段、表示手段および記憶手段に制御情報を与え、かつ送信手段、受信手段、入力手段、表示手段および記憶手段から各種情報を得る。
伴奏曲配信サーバ２０および楽曲配信サーバ３０を構成する送信手段および受信手段は、モデム、ＴＡ（ｔｅｒｍｉｎａｌ　ａｄａｐｔｅｒ）、ＤＳＵ（ｄｉｇｉｔａｌ　ｓｅｒｖｉｃｅ　ｕｎｉｔ）等によって実現され、楽音販売装置４０にカラオケデータまたは楽音データを送信するとともに、楽音販売装置４０から送信される販売管理情報を受信する。
伴奏曲配信サーバ２０および楽曲配信サーバ３０を構成する入力手段は、キーボード、マウス等によって実現され、各種入力信号を入力する際に用いられる。
伴奏曲配信サーバ２０および楽曲配信サーバ３０を構成する表示手段は、ＣＲＴ（ｃａｔｈｏｄｅ　ｒａｙ　ｔｕｂｅ）、液晶ディスプレイ等で実現され、各種データに関する情報をする。
伴奏曲配信サーバ２０および楽曲配信サーバ３０を構成する記憶手段は、ハードディスク、磁気ディスク、デジタルビデオディスク等の外部記憶装置によって実現され、カラオケデータ、楽音データおよび販売管理データなどの各種データが記憶される。
また伴奏曲配信サーバ２０はカラオケデータの配信先である楽音販売装置４０を識別する第１の識別手段および楽音販売装置４０に備えられた記憶手段６４を識別する第２の識別手段を備え、楽曲配信サーバ３０は楽音データの配信先である楽音販売装置４０を識別する第１の識別手段および楽音販売装置４０に備えられた記憶手段１１４を識別する第２の識別手段を備える。第１の識別手段および第２の識別手段は、具体的には、制御手段、メモリおよび記憶手段によって実現されカラオケデータおよび楽音データの漏洩、盗用を防止することができる。
楽音販売装置４０は、具体的には、伴奏曲配信サーバ２０から送信されるカラオケデータ２４を受信して記憶し出力要求に基づいて音響信号出力手段１５０および表示手段１７０に出力信号を与える伴奏曲出力手段５０と、楽曲配信サーバ３０から送信される楽音データ３３を受信して記憶し出力要求に基づいて楽音データ３３を音響信号出力手段１５０および表示手段１７０に出力信号を与える楽曲出力手段１００と、スピーカなどで実現される音響信号出力手段１５０と、マイクロホンなどで実現される音声信号入力手段１６０と、ＣＲＴ、液晶ディスプレイなどで実現される表示手段１７０と、カラオケデータ２４の出力およびカラオケに係るサービスならびに楽曲データ３１の提供の対価を領収する料金領収手段１８０と、伴奏曲出力手段５０および楽曲出力手段１００に入力信号を与える遠隔操作装置入力手段１９０とを備える。
伴奏曲出力手段５０は、図３を参照して後述するように、大略的には、本実施の形態に適合する処理を実行するための各種制御および処理を行う処理回路６１と、制御および処理に必要な情報が一時的または継続的に記憶されるメモリ６２と、伴奏曲配信サーバ２０から送信されるカラオケデータ２４を受信するとともに伴奏曲配信サーバ２０に端末情報５３を送信する送受信回路６３と、カラオケデータ２４などの各種データが記憶される記憶手段６４とを含む。
伴奏曲出力手段５０は、インターネット１２などを含む公衆電話回線によって実現される通信回線１１を介して遠隔地に設けられた伴奏曲配信サーバ２０に接続される。伴奏曲出力手段５０からのたとえば定期的な伴奏曲配信サーバ２０への読出しによって、伴奏曲出力手段５０と伴奏曲配信サーバ２０とが通信し、伴奏曲に対応する伴奏曲データ２１を含むカラオケデータ２４が配信される。またカラオケデータ２４の配信は、伴奏曲配信サーバ２０が定期的に伴奏曲出力手段５０にカラオケデータ２４を送信することによっても行われる。
伴奏曲出力手段５０からライン４１に導出される音響信号は、増幅回路１５１によって増幅され、スピーカである音響信号出力手段１５０で音響化される。伴奏曲出力手段５０のライン４２からの映像信号は、陰極線管または液晶などによって実現される表示手段１７０に与えられ、画像が目視表示される。さらにマイクロホンである音声信号入力手段１６０が可撓線４３を介して伴奏曲出力手段５０に接続される。こうしてマイクロホンである音声信号入力手段１６０、スピーカである音響信号出力手段１５０および表示手段１７０を用いて伴奏曲出力手段５０の働きによって、カラオケ演奏歌唱を行うことができる。本実施の形態において音声信号入力手段１６０は、可撓線４３を介して伴奏曲出力手段５０に接続されることとしているけれども、無線機能を備える構成として、無線によって音声信号を伴奏曲出力手段５０に送信して伴奏曲出力装置５０に音声信号を与えるようにしてもよい。
伴奏曲出力手段５０の正面には、電源投入のための電源スイッチ７１と、液晶表示素子などによって実現される表示手段７２と、伴奏曲出力手段５０の動作状態を点灯して表示する発光ダイオードなどの表示素子７３と、遠隔操作装置１９０から送信される入力信号を受信する遠隔操作用の受光素子７４とが備えられる。受光素子７４には、遠隔操作装置１９０からの赤外線などの光信号が与えられ、本件伴奏曲出力手段５０の動作を制御することができる。また伴奏曲出力手段５０の正面には、置数キーによって実現される伴奏曲出力手段に入力信号を入力する際に用いられるキー入力手段７５が備えられる。
さらに伴奏曲出力手段５０の正面には、カラオケデータ２４が書き込まれたＲＯＭ（Ｒｅａｄ　Ｏｎｌｙ　Ｍｅｍｏｒｙ）カードなどの記録媒体が挿入されるメモリーカード挿入口７６が備えられ、このメモリーカード挿入口７６にカラオケデータ２４が書き込まれたメモリーカードを挿入して、たとえば記憶手段６４に記憶されていない楽曲データを出力することができる。
さらにまた伴奏曲出力手段５０の正面には、たとえばカラオケを行う際に伴奏曲出力手段５０に出力させる楽曲を設定する際に操作する設定スイッチ７７、選択した曲を取り消す際に操作する取消スイッチ７８、カラオケ演奏を開始する際に操作する開始スイッチ７９、楽音販売装置４０に含まれる書き込み手段１０５を用いて伴奏曲データ２１およびマイクロホンから入力される音声信号に対応する音声データをＣＤ−Ｒなどの記録媒体に書き込む際に操作する書き込み開始スイッチ８０および記録媒体への書き込みを中止する際に操作する書き込み中止スイッチ８１などの各種スイッチが備えられる。
楽曲出力手段１００は、図４を参照して後述するように、大略的には、本実施の形態に適合する処理を実行するための各種制御および処理を行う処理回路１１１と、制御および処理に必要な情報が一時的または継続的に記憶されるメモリ１１２と、楽曲配信サーバ３０から送信される楽音データ３３を受信するとともに楽曲配信サーバ３０に端末情報１０３を送信する送受信回路１１３と、楽音データ３３などの各種データが記憶される記憶手段１１４とを含む。
楽曲出力手段１００は、インターネット１２などを含む公衆電話回線によって実現される通信回線１１を介して遠隔地に設けられた楽曲配信サーバ３０に接続される。楽曲出力手段１００からのたとえば定期的な楽曲配信サーバ３０への読出しによって、楽曲出力手段１００と楽曲配信サーバ３０とが通信し、楽曲に対応する楽曲データ３１を含む楽音データ３３が配信される。また楽音データ３３の配信は、楽曲配信サーバ３０が定期的に楽曲出力手段１００に楽音データ３３を送信することによっても行われる。
楽曲出力手段１００からライン４１に導出される音響信号は、増幅回路１５１によって増幅され、スピーカである音響信号出力手段１５０で音響化される。楽曲出力手段１００のライン４２からの映像信号は、陰極線管または液晶などによって実現される表示手段１７０に与えられ、画像が目視表示される。
楽曲出力手段１００の正面には、電源投入のための電源スイッチ１２１と、液晶表示素子などによって実現される表示手段１２２と、楽曲出力手段１００の動作状態を点灯して表示する発光ダイオードなどの表示素子１２３と、遠隔操作装置１９０から送信される入力信号を受信する遠隔操作用の受光素子１２４とが備えられる。受光素子１２４には、前記受光素子７４と同様に、遠隔操作装置１９０からの赤外線などの光信号が与えられ、本件楽曲出力手段１００の動作を制御することができる。また楽曲出力手段１００の正面には、たとえば楽曲を出力させる際に楽曲を設定する設定スイッチ１２５、選択して設定した曲の出力を中止する際に操作する出力中止スイッチ１２６、記録媒体への書き込みを開始する際に操作する書き込み開始スイッチ１２７および記録媒体への書き込みを中止する際に操作する書き込み中止スイッチ１２８などの各種スイッチが備えられる。
さらに楽曲出力手段１００の正面には、伴奏曲データ、楽曲データおよび音声信号入力手段１６０から入力される音声信号に対応する音声データのうちのいずれか１つ以上のデータが書き込まれる記録媒体が挿入される記録媒体挿入口１２９が備えられ、この記録媒体挿入口１２９に記録媒体を挿入して書き込み手段１０５に記録媒体を装着し、伴奏曲データ、楽曲データおよび音声信号入力手段１６０から入力される音声信号に対応する音声データのうちのいずれか１つ以上のデータを記録媒体に書き込んで、カラオケ歌唱の歌声および伴奏曲を録音し、また楽曲を販売することができる。
料金領収手段１８０は、伴奏曲データ２１および楽曲データ３１の出力ならびに伴奏曲データ２１、楽曲データ３１および音声データの記録媒体への書き込みに係る対価を領収する際に用いられ、料金領収手段１８０の正面には硬貨などを投入する硬貨投入口１８１が備えられ、硬貨投入口１８１から投入された硬貨は硬貨収納部１８２に収納される。硬貨収納部１８２は、硬貨領収手段１８０に脱着可能に装着され、硬貨収納部１８２に収納された硬貨を料金領収手段１８０から取り出して、回収することができる。
料金領収手段１８０に投入された金額は、料金領収手段１８０に備えられた料金検出手段によって、硬貨投入口１８１から投入された硬貨に相応する金額を検出して算出し、算出した金額を伴奏曲出力手段５０の処理回路６１または楽曲出力手段１００の処理回路１１１に与える。処理回路６１または処理回路１１１は、与えられた金額データに基づいて、投入された料金金額が与えられた入力信号に対応する処理を行う条件を充たすか否かを判断する。
遠隔操作装置１９０は、出力すべきカラオケデータ２４を指定して伴奏曲出力手段５０に指定信号を与え、また出力すべき楽音データ３３を指定して楽曲出力手段１００に指定信号を与える際に用いられる。カラオケデータ２４および楽音データ３３の指定は楽曲毎に付与される楽曲固有の曲番号を音楽指定手段に入力することによって行われる。音楽指定手段は、楽音販売装置４０に備えられ、具体的には、処理回路６１，１１１、メモリ６２，１１２、記憶手段６４，１１４および遠隔操作装置１９０などによって実現される。
遠隔操作装置１９０は、いわゆるリモートコントローラ（リモコン）と呼ばれるものであって、入力信号を入力する際に用いられるキー入力部１９１と、ＬＣＤなどで実現される表示部１９２と、伴奏曲出力手段５０の受光素子７４および楽曲出力手段１００の受光素子１２４に、入力信号を赤外線などの光信号として与える発光素子とを含む。楽音販売装置４０の利用者は、遠隔操作装置１９０を操作して、伴奏曲出力手段５０および楽曲出力手段１００に入力信号を入力し、たとえばカラオケ歌唱を行い、楽曲を出力させて音楽を楽しみ、また楽曲を記録媒体に録音することができる。
楽音販売システム１０において音楽配信サーバ１５から配信されるカラオケデータ２４および楽音データ３３は、暗号化処理を施され、さらに圧縮処理を施して送受信されるので、データの盗用、漏洩を防止することができ、著作権者の権利を保護することができる。ＣＤ−Ｒなどの記録媒体に書き込まれる楽曲データは、暗号化および圧縮処理されて送受信され、記憶手段１１４に記憶されており、記録媒体に書き込まれるように複号化されて、記録媒体に書き込まれる。したがって記録媒体に書き込まれた楽曲データは、ＣＤプレーヤなどの暗号複号化機能を備えない音響再生機器を用いて再生出力することができる。すなわちＳＤ（Ｓｅｃｕｒｅ　Ｄｉｇｉｔａｌ）対応の高額なデジタルオーディオ機器を用いて再生する必要がなく、再生方法が簡便である。
図２は、楽音販売システム１０が適用される楽音販売方法の一例の概要を説明するための図である。本実施の形態の楽音販売方法は、楽音販売システム１０が適用され、前述のように、通信回線１１を介して、伴奏曲配信サーバ２０と楽曲配信サーバ３０と楽音販売装置４０とを接続し、カラオケデータ２４、楽音データ３３および端末情報５３，１０３を相互に送受信して、楽音販売装置４０に記憶されたカラオケデータ２４および楽音データ３３を出力して、楽音販売装置４０の利用者にカラオケデータ２４および楽音データ３３の提供を行い、カラオケデータ２４および楽音を提供するサービスの対価として料金を領収する。このようにして、カラオケに係るサービスを提供し、楽曲を販売する。
まず配信データ準備ステップであるステップＳ１において、伴奏曲配信サーバ２０が楽音販売装置４０に配信する伴奏曲データ２１を含むカラオケデータ２４および楽曲配信サーバ３０が楽音販売装置４０に配信する楽曲データ３１を含む楽音データ３３を伴奏曲配信サーバ２０および楽曲配信サーバ３０に入力して記憶する。以下において、カラオケデータ２４および楽音データ３３を総称して配信データと表すことがある。
配信データ送信ステップであるステップＳ２において、伴奏曲配信サーバ２０または楽曲配信サーバ３０から楽音販売装置４０にカラオケデータ２４または楽音データ３３を送信する。
配信データ受信ステップであるステップＳ３において、楽音販売装置４０がカラオケデータ２４または楽音データ３３を受信する。具体的には、楽音販売装置４０を構成する伴奏曲出力手段５０に備えられた送受信回路６３によってカラオケデータ２４が受信され、楽音販売装置４０を構成する楽曲出力手段１００に備えられた送受信回路１１３によって楽音データ３３が受信される。
配信データ記憶ステップであるステップＳ４において、受信した配信データを楽音販売装置２０に備えられた記憶手段６４，１１４に記憶する。具体的には、楽音販売装置４０を構成する伴奏曲出力手段５０に備えられた記憶手段６４にカラオケデータ２４が記憶され、楽音販売装置４０を構成する楽曲出力手段１００に備えられた記憶手段１１４に楽音データ３３が記憶される。
出力データ指定ステップであるステップＳ５において、楽音販売装置４０から出力する伴奏曲データ２１または楽曲データ３１を指定する。具体的には、カラオケ歌唱を行う場合、カラオケ演奏を行いたい曲を曲毎に付与された曲固有の曲番号を遠隔操作装置１９０のキー入力部１９１から入力し、伴奏曲出力手段５０に入力信号を与える。楽曲出力を行う場合、出力を行いたい曲を曲毎に付与された曲固有の曲番号を遠隔操作装置１９０のキー入力部１９１から入力し、楽曲出力手段１００に入力信号を与える。曲番号に関し、伴奏曲データ２１および伴奏曲データ２１に対応する楽曲データ３１には同一の曲番号が付される。同じ音楽に関わるカラオケデータ２４および楽音データ３３とには同一の曲番号が付されているので、カラオケデータ２４および楽音データ３３の指定が容易にできる。
料金領収ステップであるステップＳ６において、伴奏曲データ２１および楽曲データ３１の出力ならびに伴奏曲データ２１、楽曲データ３１および音声データの記録媒体への書き込みに係る対価を領収する。具体的には、楽音販売装置４０の利用者が料金領収手段１８０の硬貨投入口１８１から投入する硬貨の金額を算出し、カラオケ歌唱のためのカラオケデータ２４の出力、楽曲の出力、楽曲の録音、カラオケ歌唱の歌声と伴奏曲との録音などのサービスを利用者が受けることができる料金が支払われているか否かを確認し、前述のようなサービスの対価を領収する。
出力データ読み出しステップであるステップＳ７において、出力すべき曲として指定されたデータである出力データに対応する伴奏曲データ２１を含むカラオケデータ２４または楽曲データ３１を含む楽音データ３３を記憶手段６４，１１４から読み出す。具体的には、カラオケ歌唱を行う場合、ステップＳ５において指定された曲に対応するカラオケデータ２４を伴奏曲出力手段５０の記憶手段６４から読み出し、楽曲出力を行う場合、出力ステップＳ５において指定された曲に対応する楽音データ３３を楽曲出力手段１００の記憶手段１１４から読み出す。
出力ステップであるステップＳ８において、読み出したカラオケデータ２４または楽音データ３３を出力する。具体的には、指定された曲に対応するカラオケデータ２４または楽音データ３３に含まれる伴奏曲データ２１または楽曲データ３１をスピーカなどの音響信号出力手段１５１によって音響出力し、また画像データ２２および文字データ２３または楽曲情報データ３２をディスプレイ装置である表示手段１７０によって映像出力する。
書き込みステップであるステップＳ９において、伴奏曲データ２１、楽曲データ３１および音声データのうち少なくとも１つ以上のデータを記録媒体に書き込み、録音する。具体的には、たとえば、マイクロホンなどの音声信号入力手段１６０を用いて伴奏曲データ２１に対応する伴奏曲に併せて歌唱を行い、その歌声に対応する音声データと伴奏曲データ２１とを記録媒体に書き込み、カラオケ歌唱の結果として録音することができる。また単に楽曲データ３１を記録媒体に書き込み、記録媒体に書き込まれた楽曲データ３１に対応する楽曲をＣＤプレーヤ、ＭＤプレーヤ、デジタルオーディオプレーヤなどの音響再生装置を用いて再生して、楽曲を聴取することができる。
図３は、楽音販売装置４０を構成する伴奏曲出力手段５０の電気的構成を示すブロック図ある。
伴奏曲出力手段５０は、前述のように、大略的には、処理回路６１、メモリ６２、送受信回路６３および記憶手段６４を含み、さらに楽曲販売装置１００の書き込み手段１０５に伴奏曲データ２１および音声データを与える出力回路６５および料金領収手段１８０から与えられる金額データを入力する入力回路６６を含む。
伴奏曲出力手段５０は通信回線１１に接続されるモデムなどの送受信手段６３を介して、マイクロコンピュータによって実現される処理回路６１に接続される。通信回線１１を介して受信される伴奏曲データ２１とその伴奏曲データ２１に対応した歌詞などの文字データ２３とが、さらに動画および静止画の画像データ２２もまた、処理回路６１の働きによって、ハードディスクなどの大容量の記憶手段６４に転送されて記憶される。これによって記憶手段６４には、多くの種類の伴奏曲などのデータが記憶されることになる。記憶手段６４は、コントローラ６７によってその動作が制御される。
処理回路６１には、さらにマイクロコンピュータなどによって実現されるＡＳＩＣ（Ａｐｐｌｉｃａｔｉｏｎ　Ｓｐｅｃｉｆｉｃ　Ｉｎｔｅｇｒａｔｅｄ　Ｃｉｒｃｕｉｔ、特定用途向け集積回路）などのもう１つの処理回路６８が接続され、これによって映像回路６９の動作が制御される。この映像回路６９は、記憶手段６４から処理回路６１の働きによって読出した映像データによって複合映像信号を作成し、前述の表示手段１７０に与えることができる。この記憶手段６４に記憶される画像データ２２は、画像圧縮されており、再生回路７０は、国際標準ＭＰＥＧ（Ｍｏｔｉｏｎ　Ｐｉｃｔｕｒｅ　Ｅｘｐｅｒｔｓ　Ｇｒｏｕｐ）規格に従う処理によって元の画像データに再生する。この記憶手段６４の画像データは、文字データなども含む。
処理回路６１はまた、記憶手段６４から処理回路６１によって読出した伴奏曲データ２１を、ＭＩＤＩ（Ｍｕｓｉｃａｌ　Ｉｎｓｔｒｕｍｅｎｔ　Ｄｉｇｉｔａｌ　Ｉｎｔｅｒｆａｃｅ）規格の再生回路８２で再生を行わせ、内部外部音声切換え回路８３からライン８４を経て増幅回路１５１に与え、スピーカである音響信号出力手段１５０から音響出力する。この内部外部音声切換え回路８３には、マイクロホンなどの音声信号入力手段１６０からの音声信号がライン４３を経て与えられる。こうしてこの音声信号入力手段１６０の音声信号とともに、再生回路８２からの再生された伴奏曲の信号とともに合成されて音響信号が作成され、前述のようにライン８４から導出されることになる。
またマイクロホンなどの音声信号入力手段１６０から入力され、ライン４３を経て与えられる処理回路６８に与えられる音声信号がは音声信号に対応する音声信号データとして、伴奏曲データ２１とともに出力回路６５を介して、楽曲出力手段１００に備えられた書き込み手段１０５に与えられる。
料金領収手段１８０から与えられる金額データが入力回路６６を介して処理回路６１に与えられ、料金領収手段１８０に投入された料金金額が与えられた入力信号に対応する処理を行う条件を充たすか否かが判断される。
図４は、楽音販売装置４０を構成する楽曲出力手段１００の電気的構成を示すブロック図ある。
楽曲出力手段１００は、前述のように、大略的には、処理回路１１１、メモリ１１２、送受信回路１１３および記憶手段１１４を含み、さらに伴奏曲出力手段５０から与えられる伴奏曲データ２１および音声データを入力する入力回路１１５および料金領収手段１８０から与えられる金額データを入力する入力回路１３３を含む。また楽曲出力手段１００は、伴奏曲データ２１、楽曲データ３１および音声データを記録媒体に書き込む書き込み手段１０５を備える。
楽曲出力手段１００は通信回線１１に接続されるモデムなどの送受信手段１１３を介して、マイクロコンピュータによって実現される処理回路１１１に接続される。通信回線１１を介して受信される楽曲データ３１とその楽曲データ３１に関連する情報である楽曲情報データ３２とが処理回路１１１の働きによって、ハードディスクなどの大容量の記憶手段１１４に転送されて記憶される。これによって記憶手段１１４には、多くの種類の楽曲などのデータが記憶されることになる。記憶手段１１４は、コントローラ１１７によってその動作が制御される。
処理回路１１１には、さらにマイクロコンピュータなどによって実現されるＡＳＩＣなどのもう１つの処理回路１１８が接続され、これによって映像回路１１９の動作が制御される。この映像回路１１９は、記憶手段１１４から処理回路１１１の働きによって読出した映像データによって複合映像信号を作成し、前述の表示手段１７０に与えることができる。この記憶手段１１４に記憶される画像データは、たとえば楽曲に関連するプロモーションビデオなどの動画でーたであって、画像圧縮されており、再生回路１２０は、国際標準ＭＰＥＧ規格に従う処理によって元の画像データに再生する。この記憶手段１１４の画像データは、文字データなども含み、楽曲情報データ３２として楽音データ３３に含まれて楽曲配信サーバ３０から楽曲出力手段１００に配信される。
処理回路１１１はまた、記憶手段１１４から処理回路１１１によって読出した楽曲データ３１を、ＭＩＤＩ規格の再生回路１３０で再生を行わせ、内部外部音声切換え回路１３１からライン１３２を経て増幅回路１５１に与え、スピーカである音響信号出力手段１５０から音響出力する。
料金領収手段１８０から与えられる金額データが入力回路１３３を介して処理回路１１１に与えられ、料金領収手段１８０に投入された料金金額が与えられた入力信号に対応する処理を行う条件を充たすか否かが判断される。
伴奏曲出力手段５０から与えられる伴奏曲データ２１および音声データは、入力回路１１５を介して、処理回路１１１の制御に基づいて、書き込み手段１０５によって記録媒体に書き込まれる。
記憶手段１１４に記憶された楽曲データ３１は、処理回路１１１の制御に基づいて、書き込み手段１０５によって記録媒体に書き込まれる。
検出手段１３４が、書き込み手段１０５において伴奏曲データ２１、楽曲データ３１および音声データが書き込まれる記録媒体の装着状態および記録容量を検出し、記録媒体が書き込み手段１０５に装着されていない場合および記憶容量が不足すると判断する場合には記録媒体への書き込みは行われない。
図５は、伴奏曲配信サーバ２０または楽曲配信サーバ３０が楽音販売装置４０に楽曲を配信する際の伴奏曲配信サーバ２０または楽曲配信サーバ３０に備えられている処理回路６１または処理回路１１１の動作を説明するためのフローチャートである。図５の説明においては、伴奏曲配信サーバ２０が楽音販売装置４０の伴奏曲出力手段５０にカラオケデータ２４を配信する際の動作を説明する。伴奏曲配信サーバ２０は、前述のように、通信回線１１を介して楽音販売装置４０の伴奏曲出力手段５０に定期的または不定期に伴奏曲データ２１、画像データ２２、文字データ２３を含むカラオケデータ２４を配信する。
ステップａ１において、周期的な時間Ｗ１が経過したかどうかが判断され、この時間Ｗ１は、伴奏曲出力手段５０に備えられた時計回路の時計信号に基づき、予め定める時間であって、たとえば１週間であってもよい。１週間などの時間Ｗ１が経過したことがステップａ１で判断されると、次のステップａ２では、処理回路６１は、記憶手段６４から配信すべきカラオケデータ２４を読み出し、ステップａ３において、送受信回路６３および通信回線１１を介してカラオケデータ２４を伴奏曲出力手段５０に送信し、カラオケデータ２４の配信を行う。ステップａ４において、カラオケデータ２４の配信の記録である配信記録に関するデータを更新する。カラオケデータ２４の配信毎に配信記録を更新することによって、カラオケデータ２４の重複配信を防止することができる。ステップａ１において、時間Ｗ１が経過したとは判断されない場合は、カラオケデータ２４の配信は行われない。
楽曲配信サーバ３０から楽音販売装置４０の楽曲出力手段１００への楽音データ３３の配信においても、伴奏曲配信サーバ２０から伴奏曲出力手段５０へのカラオケデータ２４の配信と同様に、楽音データ３３の配信が定期的または不定期に行われる。
図６は、伴奏曲出力手段５０または楽曲出力手段１００が伴奏曲配信サーバ２０または楽曲配信サーバ３０からカラオケデータ２４または楽音データ３３の配信を受ける際の伴奏曲出力手段５０または楽曲出力手段１００に備えられている処理回路６１または処理回路１１１の動作を説明するためのフローチャートである。図６の説明においては、伴奏曲出力手段５０が伴奏曲配信サーバ２０からカラオケデータ２４の配信を受ける際の動作を説明する。
ステップｂ１において、周期的な時間Ｗ２が経過したかどうかが判断され、この時間Ｗ２は、楽曲出力手段１００に備えられた時計回路の時計信号に基づき、予め定める時間であって、たとえば１週間であってもよい。１週間などの時間Ｗ２が経過したことがステップｂ１で判断されると、次のステップｂ２では、処理回路１１１は、送受信回路１１３および通信回線１１を介して楽曲配信サーバ３０と通信を行い、ステップｂ３において、伴奏曲配信サーバ２０から配信されるカラオケデータ２４を受信し、ステップｂ４において、配信されたカラオケデータ２４を記憶手段６４に記憶する。記憶手段６４に記憶されたカラオケデータ２４は、楽音販売装置４０へ与えられる出力要求に基づいて、音響信号出力手段１５０および表示手段１７０などを用いて出力される。楽曲出力手段１００における楽曲配信サーバ３０からの楽音データ３３の受信についても、伴奏曲出力手段５０における伴奏曲配信サーバ２０からのカラオケデータ２４の受信と同様に、楽音データ３３の受信が定期的または不定期に行われる。
図７は、楽音販売装置４０を用いた楽曲販売方法における楽音販売装置４０の処理に関する動作を示すフローチャートである。楽音販売装置４０は、与えられる出力要求に基づいて、記憶手段６４，１１４に記憶されたカラオケデータ２４および楽音データ３３を読み出し、音響信号出力手段１５０および表示手段１７０を用いて音響信号および画像信号を出力しするとともに、音声信号入力手段１６０を介して与えられる音声信号を音響信号とともに出力する。また伴奏曲データ２１である音響信号および音声信号を書き込み手段１０５を用いて記録媒体に書き込む。
ステップｃ１において、遠隔操作装置１９０、キー入力手段７５を用いて楽音販売装置４０の動作モードが与えられ、ステップｃ２において、楽音販売装置４０の動作モードが設定される。楽音販売装置４０の動作モードには、カラオケ歌唱を行うカラオケモード、カラオケ歌唱の歌声を伴奏曲とともに記録媒体に録音するカラオケ録音モード、楽音の無料出力および試聴を行う試聴モード、楽音の有料出力および販売を行う販売モードとが含まれる。
ステップｃ３において、設定された動作モードを判断し、カラオケモードと判断する場合はステップｃ４に進み、カラオケモードでないと判断する場合はステップｃ１０に進む。
ステップｃ４において、カラオケ歌唱のためにカラオケデータ２４に基づいて伴奏曲および画像が出力する場合には、その伴奏曲および画像の出力に係る対価であるカラオケ料金を領収し、ステップｃ５において、投入された料金がその伴奏曲および画像の出力に係る対価以上の金額であるか否かを判断し、投入された料金が出力条件を充たしていると判断する場合はステップｃ６に進み、投入された料金が出力条件を充たしていないと判断する場合はステップｃ４に戻る。この時点で、表示手段７２に投入すべき料金を表示するようにしてもよい。
ステップｃ６において、カラオケ歌唱をする楽曲が指定され、ステップｃ７において、指定された楽曲が設定され、ステップｃ８において、指定された楽曲に対応するカラオケデータ２４が記憶手段６４から読み出され、ステップｃ９において、カラオケデータ２４に対応する伴奏曲が音響信号出力手段１５０から音響出力されるとともに、歌詞である文字を含む画像が表示手段１７０に出力され、楽音販売装置４０の利用者であるカラオケ歌唱者はカラオケ歌唱を行うことができる。カラオケデータ２４の出力が完了するとステップｃ３７に進み、終了信号が入力されている場合は終了し、終了信号が入力されていない場合はステップｃ１に戻る。
ステップｃ３においてカラオケモードではないと判断された場合、ステップｃ１０に進み、ステップｃ１０において、カラオケ録音モードであるか否かが判断される。カラオケ録音モードである場合はステップｃ１１に進み、カラオケ録音モードでない場合はステップｃ２０に進む。
ステップｃ１１において、カラオケ録音を行うことを内容とする入力信号が入力されている場合には場合には、カラオケの伴奏曲および画像の出力ならびにカラオケ録音に係る対価であるカラオケ録音料金を領収し、ステップｃ１２において、投入された料金がそのカラオケ録音に係る対価以上の金額であるか否かを判断し、投入された料金が出力条件を充たしていると判断する場合はステップｃ１３に進み、投入された料金が出力条件を充たしていないと判断する場合はステップｃ１１に戻る。この時点で、表示手段７２に投入すべき料金を表示するようにしてもよい。
ステップｅ１３において、カラオケ録音を行う楽曲が指定され、ステップｃ１４において、指定された楽曲が設定され、ステップｃ１５において、記録媒体への書き込み手段１０５の挿入状態を検出手段１３４が検出し、ステップｃ１６において、記録媒体の挿入状態を判断し、挿入状態が書き込み可能な状態であると判断する場合はステップｃ１７に進み、挿入状態が書き込み可能な状態でないと判断する場合は、ステップｃ１５に戻る。この時点で、記録媒体の再挿入を促すメッセージを表示手段１２２に表示させる。
ステップｃ１７において、指定された楽曲に対応するカラオケデータ２４が記憶手段６４から読み出され、ステップｃ１８において、出力および書き込みを開始することを内容とする入力信号が入力されているか否かを判断し、出力および書き込み開始信号が入力されていると判断する場合は、ステップｃ１９に進み、出力および書き込み開始信号が入力されていないと判断する場合は、ステップｃ１３に戻る。
ステップｃ１９において、カラオケ歌唱が行われ、そのカラオケ歌唱の歌声に対応する音声データと伴奏曲データ２１とが記録媒体に書き込まれ、書き込み完了後ステップｃ３７に進む。
ステップｃ１０においてカラオケ録音モードではないと判断された場合、ステップｃ２０に進み、ステップｅ２０において、試聴出力モードであるか否かが判断される。試聴出力モードである場合はステップｃ２１に進み、試聴出力モードでない場合はステップｃ２７に進む。
ステップｃ２１において、出力し試聴する楽曲をが指定され、ステップｃ２２において、指定された楽曲が設定され、ステップｃ２３において、出力を開始するという内容の入力信号が入力されているか否かを判断し、出力を開始する入力信号が入力されている場合はステップｃ２４に進み、入力されていない場合はステップｃ２１に戻る。
ステップｃ２４において、指定された楽曲に対応する楽音データ３３を記憶手段１１４から読み出し、ステップｃ２５において、楽音データ３３に含まれる楽曲データ３１に基づく音響信号が音響信号出力手段１５０を介して再生され出力され、楽音データ３３に含まれる画像データが表示手段１７０を介して再生され出力される。
ステップｃ２６において、楽曲を購入することを内容とする入力信号が入力されているか否かを判断し、購入信号が入力されていると判断する場合はステップｃ２８に進み、購入信号が入力されていないと判断する場合はステップｃ３７に進む。
ステップｃ２０において試聴モードではないと判断された場合、ステップｃ２７に進み、ステップｃ２７において、販売出力モードであるか否かが判断される。販売出力モードである場合はステップｃ２８に進み、販売出力モードでない場合はステップｃ３７に進む。
ステップｃ２８において、楽曲を有料出力または購入することを内容とする入力信号が入力されている場合には場合には、出力または購入する楽曲に係る対価である楽曲料金を領収し、ステップｃ２９において、投入された料金がその楽曲料金に係る対価以上の金額であるか否かを判断し、投入された料金が出力販売条件を充たしていると判断する場合はステップｃ３０に進み、投入された料金が出力販売条件を充たしていないと判断する場合はステップｃ２８に戻る。この時点で、表示手段１２２に投入すべき料金を表示するようにしてもよい。
ステップｃ３０において、出力または販売する楽曲が指定され、ステップｃ３１において、指定された楽曲が設定され、ステップｃ３２において、記録媒体への書き込みか否かを判断する。
ステップｃ３２において、記録媒体への書き込みであると判断する場合はステップｃ３３に進み、記録媒体への書き込みでないと判断する場合はステップｃ３５に進む。
ステップｃ３３において、書き込み手段１０５へにおける記録媒体の挿入状態を検出手段１３４が検出し、ステップｃ３４において、記録媒体の挿入状態を判断し、挿入状態が書き込み可能な状態であると判断する場合はステップｃ３５に進み、挿入状態が書き込み可能な状態でないと判断する場合は、ステップｃ３３に戻る。この時点で、記録媒体の再挿入を促すメッセージを表示手段１２２に表示させる。
ステップｃ３５において、指定された楽曲に対応する楽音データ３３が記憶手段１１４から読み出され、ステップｃ３６において、記録媒体への書き込みまたは再生出力が行われ、書き込みまたは再生出力完了後ステップｃ３７に進む。
以上のようにして、楽音販売装置４０を用いてカラオケ歌唱、カラオケ歌唱録音、楽曲試聴、楽曲演奏、楽曲の記録媒体への書き込みによる楽曲販売を行うことができる。なお、ステップｃ４、ステップｃ１１およびステップｃ２８における料金領収は、料金領収手段１８０にいわゆるプリペイドカードに対応する機能を備えることによってプリペイドカードによる支払いとしてもよい。またステップｃ４の料金領収をカラオケデータ２４の出力後、すなわちステップｃ９の後に行うようにしてもよい。この場合はステップｃ５も、ステップｃ４と同様にステップｃ９の後に処理されることになる。同様にカラオケ録音、楽曲有料出力および楽曲販売においても料金領収をカラオケ録音完了後、楽曲有料出力完了後および楽曲販売完了後に行うようにしてもよい。
楽音販売装置４０によるカラオケ歌唱、カラオケ歌唱録音、楽曲試聴、楽曲演奏、楽曲の記録媒体への書き込みによる楽曲販売においては、複数の楽曲を指定して、順次的に、または連続して、または繰り返しカラオケ出力、楽曲出力を行うことができる。
図８は、楽音販売システム１０を適用した楽音販売方法の一例の概要を示す概念図である。
たとえばレコード会社などの音楽担当者Ａから音楽販売に係る販売促進および販売業務を目的として音楽の配信を行う配信担当者Ｂに音楽が提供され、配信担当者Ｂは楽音販売装置４０の設置および保守等を担当する装置担当者Ｃに楽音販売装置４０を貸し与える。装置担当者Ｃは、飲食店などの店舗運営者である運営担当者Ｄに楽音販売装置４０を貸し出し、店舗に設置された楽音販売装置４０を利用して店舗の顧客である利用者Ｅがカラオケ歌唱、楽曲購入等を行う。
音楽担当者Ａから音楽である楽音の提供を受けた配信担当者Ｂは、定期的に、または不定期に運営担当者Ｄの店舗などに設置された楽音販売装置４０にカラオケデータ２４および楽音データ３３を配信する。運営担当者Ｄの店舗などに設置された楽音販売装置４０からは、定期的に、または不定期に配信担当者Ｂの管理する伴奏曲配信サーバ２０および楽曲配信サーバ３０に販売管理情報および装置管理情報が送信される。配信担当者Ｂは、楽音販売装置４０から送信される販売管理情報および装置管理情報に基づいて、音楽に係る著作権料、楽音販売装置４０を用いた楽曲販売および楽曲演奏に係る売上金などに関する情報を入手し、著作権料および売上金の管理を行う。
配信担当者Ｂから装置担当者Ｃに貸し出される楽音販売装置４０の貸し出しに係るレンタル料金またはリース料金などの装置使用に係る料金は、装置担当者Ｃが負担し、装置担当者Ｃから配信担当者Ｂに支払われる。また装置担当者Ｃから運営担当者Ｄに貸し出される楽音販売装置４０の貸し出しに係るレンタル料金またはリース料金などの装置使用に係る料金は、運営担当者Ｄが負担し、運営担当者Ｄから装置担当者Ｃに支払われる。
運営担当者Ｄの店舗等に設置された楽音販売装置４０の利用者Ｅが支払う楽曲演奏および楽曲販売に係る料金は運営担当者Ｄ、装置担当者Ｃ、配信担当者Ｂおよび音楽担当者Ａに所定の割合で配分される。音楽担当者Ａは、音楽著作権に係る。著作権料を音楽著作権料を管理するたとえばＪＡＳＲＡＣ（日本音楽著作権協会）に支払う。
以上のように音楽配信に係る本発明の楽音販売方法は、伴奏曲配信サーバ２０、楽曲配信サーバ３０および楽音販売装置４０を通信回線１１を介して相互に接続して各種データを送受信することによって行われる。送受信される各種データは暗号化処理を施され、さらに圧縮処理を施して送受信されるので、データの盗用、漏洩を防止することができ、著作権者の権利を保護することができる。
本発明に係る楽音販売システムおよび楽音販売方法は、楽音の販売を目的とするものであるけれども、カラオケデータ２４および楽音データ３３は例示であって、楽音と同様に映画などの動画データを主要素とするデータ、電子化書籍等の文字データを主要素とするデータ等を通信回線１１を介して送受信し、その送受信された各種データを出力し、記録媒体に書き込むことによって販売することも可能である。
本発明は、その精紳または主要な特徴から逸脱することなく、他のいろいろな形で実施することができる。したがって、前述の実施形態は、あらゆる点で単なる例示に過ぎず、本発明の範囲は、請求の範囲に示すものであって、明細書本文には何ら拘束されない。
さらに、請求の範囲の均等範囲に属する変形や変更は、全て本発明の範囲内のものである。
【産業上の利用可能性】
請求項１記載の本発明によれば、楽音販売システムを構成する楽音販売装置は、音楽配信サーバが送信する伴奏曲データおよび楽曲データを受信し、楽音販売装置に備えられた記憶手段に受信した伴奏曲データおよび楽曲データを記憶し、与えられる出力要求に基づいて伴奏曲データまたは楽曲データを、伴奏曲または楽曲として再生して出力する。
楽音販売装置には、前記伴奏曲データとともに楽音販売装置に備えられた表示装置に表示される画像データおよび歌詞などの文字データが伴奏曲配信サーバから送信される。楽音販売装置がモデムなどの受信手段を介して受信した伴奏曲データおよび楽曲データはＨＤＤなどの記憶手段に記憶され、与えられる出力要求に基づいて、伴奏曲データまたは楽曲データが記憶手段から読み出され、読み出された伴奏曲データまたは楽曲データは音響信号としてスピーカなどの音響信号出力手段によって出力される。伴奏曲データまたは楽曲データを楽音販売装置を利用して出力して、伴奏曲データまたは楽曲データに対応する伴奏曲または楽曲を演奏することができ、たとえばＢＧＭとして所望の楽曲を出力させておくことができる。また所望の楽曲を出力させて聴取することができ、音楽を楽しむことができる。楽曲の出力を希望する者から楽曲の出力に係る対価を領収することができる。すなわち、本発明に係る楽音販売装置を、利用者の操作によって音楽を選定し、投入される料金に基づいて、利用者の所望する音楽を順次的に再生して演奏する、いわゆるジュークボックスとして用いることができる。
スピーカから出力される伴奏曲データに対応する伴奏曲に併せて、マイクロホンなどの音声信号入力手段を用いて歌唱者の歌声である音声信号が入力され、歌唱を行うことができる。このようにしていわゆるカラオケを楽しむことができる。
伴奏曲データおよびマイクロホンから入力される音声信号に対応する音声データを書き込み手段を用いて、ＣＤ−Ｒなどの記録媒体に書き込み、たとえば歌唱者は自己の歌唱を記録媒体に書き込み、いわゆる録音を行うことができる。たとえば車載用デジタルオーディオプレーヤなどに装備されたＣＤプレーヤに記録媒体であるＣＤ−Ｒを装着し、ＣＤ−Ｒに記録された自分の歌声を聞くことができる。自分の歌声を聞いて歌唱の練習を行うことができ、歌唱力を向上させることができる。
また楽曲データを書き込み手段を用いて、ＣＤ−Ｒ、スマートメディア、ＭＤなどの記録媒体に書き込み、ＣＤプレーヤ、デジタルオーディオプレーヤ、ＭＤプレーヤなどの音響再生装置を用いて、楽音販売装置が設置されている場所以外の場所において、記録媒体に書き込まれた楽曲データに対応する楽曲を再生して聴くことができる。
また請求項２記載の本発明によれば、伴奏曲データおよび楽曲データに対応する伴奏曲または楽曲の利用または聴取についての対価を領収することができる。同様に、伴奏曲データ、楽曲データおよび音声データの記録媒体への書き込み、すなわち伴奏曲データおよび楽曲データに対応する伴奏曲および楽曲の録音についての対価を領収することができる。また音声データの記録媒体への書き込みに関して、たとえば記録媒体および装置利用に係る対価を領収することができる。楽音販売装置は料金領収手段を備えるので、たとえば楽音販売装置を無人店舗などに設置することができ、いわゆる楽音に関する自動販売機として利用することができる。また通常の有人の店舗に楽音販売装置を設置した場合には、店舗の顧客が顧客自身で楽音販売装置を操作して、所望の伴奏曲または楽曲を出力させて聴取し、記録媒体に楽曲等を録音することができ、店舖店員が接客を行う必要がない。
また請求項３記載の本発明によれば、伴奏曲および楽曲を出力する際に、異なる曲番号を入力する必要がなく、楽曲毎に付与される曲番号が判れば、伴奏曲を指定することが可能である。伴奏曲および楽曲を指定する際に、共通の曲番号を入力するだけでよいので、伴奏曲および楽曲を容易に行うことができる。
さらに請求項４記載の本発明によれば、楽音販売装置において伴奏曲データおよび楽曲データの再生出力を行うことができる。音楽配信サーバに備えられる伴奏曲配信サーバまたは楽曲配信サーバに入力される伴奏曲データまたは楽曲データは通信回線を介してして楽音販売装置に定期的または不定期に送信され、楽音販売装置が受信した伴奏曲データまたは楽曲データは、楽音販売装置に備えられたＨＤＤなどの記憶手段に記憶される。楽音販売装置の操作者は、出力する伴奏曲データまたは楽曲データを楽音販売装置に備えられた遠隔操作装置などの入力手段を用いて指定し、入力された指定信号に基づいて出力すべき伴奏曲データまたは楽曲データを記憶手段から読み出し、伴奏曲データまたは楽曲データをスピーカなどの音響出力手段を用いて音響出力する。したがって伴奏曲データまたは楽曲データに対応する伴奏曲または楽曲が演奏され、カラオケまたは楽音聴取を行うことができる。記憶手段に記憶された伴奏曲データのうちから出力する伴奏曲データを指定して出力させ、マイクロホンなどの音声信号入力手段を用いて伴奏曲データに対応する伴奏曲に併せて歌唱を行い、カラオケを楽しむことができる。
さらにまた請求項５記載の本発明によれば、たとえば、マイクロホンなどの音声信号入力手段を用いて伴奏曲データに対応する伴奏曲に併せて歌唱を行い、その歌声に対応する音声データと伴奏曲データとを記録媒体に書き込み、カラオケ歌唱の結果として録音することができる。このようにして録音された自分の歌声を、たとえば車載用デジタルオーディオプレーヤなどに装備されたＣＤプレーヤに記録媒体であるＣＤ−Ｒを装着し、ＣＤ−Ｒに記録された自分の歌声を聞くことができる。自分の歌声を聞いて歌唱の練習を行うことができ、歌唱力を向上させることができる。また、自分の歌声を他人に聴かすことができる。さらに単に楽曲データを記録媒体に書き込み、記録媒体に書き込まれた楽曲をＣＤプレーヤ、ＭＤプレーヤ、デジタルオーディオプレーヤなどの音響再生装置を用いて再生して、楽曲を聴取することができる。
さらにまた請求項６記載の本発明によれば、伴奏曲または楽曲の出力を楽曲毎に付与された楽曲固有の曲番号を共通に用いて、出力すべき伴奏曲または楽曲を指定して出力させることができる。伴奏曲および楽曲を指定する際に、共通の曲番号を入力するだけでよいので、伴奏曲および楽曲を容易に行うことができる。
さらにまた請求項７記載の本発明によれば、伴奏曲データおよび楽曲データに対応する伴奏曲または楽曲の利用または聴取についての対価を領収することができる。同様に、伴奏曲データ、楽曲データおよび音声データの記録媒体への書き込み、すなわち伴奏曲データおよび楽曲データに対応する伴奏曲および楽曲の録音についての対価を領収することができる。また音声データの記録媒体への書き込みに関して、たとえば記録媒体および装置利用に係る対価を領収することができる。楽音販売装置は料金領収手段を備えるので、たとえば楽音販売装置を無人店舗などに設置することができ、いわゆる楽音に関する自動販売機として利用することができる。また通常の有人の店舗に楽音販売装置を設置した場合には、店舗の顧客が顧客自身で楽音販売装置を操作して、所望の伴奏曲または楽曲を出力させて聴取し、記録媒体に楽曲等を録音することができ、店舗店員が接客を行う必要がない。
さらにまた請求項８記載の本発明によれば、音楽配信サーバおよび楽音販売装置を通信回線を介して相互に接続して各種データを送受信することによって行われ、音楽の配信を担当する配信担当者から楽音販売装置が装置担当者を経由して運営担当者に貸し出され、装置担当者が楽音販売装置の設置および保守を行うので、配信担当者は多数の運営担当者を管理する必要がなく、多数の楽音販売装置野保守等を行う必要がない。運営担当者は、楽音販売装置の保守等を装置担当者に依頼することができ、楽音販売装置について詳細な知識を取得する必要がない。音楽担当者は配信担当者に販売促進および販売を委託し、音楽の販売に係る販売金額および著作権料の管理を配信担当者の報告に基づいて容易に管理することができる。このように本発明の楽音販売方法によれば、通信回線を用いた音楽の販売方法を確立し、音楽販売に係る収益を得ることができる。
さらにまた請求項９記載の本発明によれば、モデムなどの受信手段を介して受信した伴奏曲データおよび楽曲データはＨＤＤなどの記憶手段に記憶され、与えられる出力要求に基づいて、伴奏曲データまたは楽曲データが記憶手段から読み出され、読み出された伴奏曲データまたは楽曲データは音響信号としてスピーカなどの音響信号出力手段によって出力される。伴奏曲データまたは楽曲データを楽音販売装置を利用して出力して、伴奏曲データまたは楽曲データに対応する伴奏曲または楽曲を演奏することができ、たとえばＢＧＭとして所望の楽曲を出力させておくことができる。また所望の楽曲を出力させて聴取することができ、音楽を楽しむことができる。楽曲の出力を希望する者から楽曲の出力に係る対価を領収するようにしてもよい。
スピーカから出力される伴奏曲データに対応する伴奏曲に併せて、マイクロホンなどの音声信号入力手段を用いて歌唱者の歌声である音声信号が入力され、歌唱を行うことができる。このようにしていわゆるカラオケを楽しむことができる。
伴奏曲データおよびマイクロホンから入力される音声信号に対応する音声データを書き込み手段を用いて、ＣＤ−Ｒなどの記録媒体に書き込み、たとえば歌唱者は自己の歌唱を記録媒体に書き込み、いわゆる録音を行うことができる。たとえば車載用デジタルオーディオプレーヤなどに装備されたＣＤプレーヤに記録媒体であるＣＤ−Ｒを装着し、ＣＤ−Ｒに記録された自分の歌声を聞くことができる。自分の歌声を聞いて歌唱の練習を行うことができ、歌唱力を向上させることができる。
また楽曲データを書き込み手段を用いて、ＣＤ−Ｒ、スマートメディア、ＭＤなどの記録媒体に書き込み、ＣＤプレーヤ、デジタルオーディオプレーヤ、ＭＤプレーヤなどの音響再生装置を用いて、楽音販売装置が設置されている場所以外の場所において、記録媒体に書き込まれた楽曲データに対応する楽曲を再生して聴くことができる。
以上のように本発明によれば、いわゆるカラオケ装置の機能を実現し、伴奏曲に併せて行う歌唱の歌声を伴奏曲とともに録音することができるとともに、歌手の歌唱の歌声と伴奏曲とを同時に出力する楽曲を音響出力することができる。
【図面の簡単な説明】
本発明とこれらの目的とそれら以外の目的と、特色と利点とは、下記の詳細な説明と図面とから一層明確になるであろう。
図１は、本発明の実施の形態の楽音販売システム１０の全体の構成を簡略して示す概念図である。
図２は、楽音販売システム１０が適用される楽音販売方法の一例の概要を説明するための図である。
図３は、楽音販売装置４０を構成する伴奏曲出力手段５０の電気的構成を示すブロック図ある。
図４は、楽音販売装置４０を構成する楽曲出力手段１００の電気的構成を示すブロック図ある。
図５は、音楽配信サーバ１５に含まれる伴奏曲配信サーバ２０が楽音販売装置４０に楽曲を配信する際の伴奏曲配信サーバ２０に備えられている処理回路６１の動作を説明するためのフローチャートである。
図６は、伴奏曲出力手段５０が伴奏曲配信サーバ２０からカラオケデータ２４の配信を受ける際の伴奏曲出力手段５０に備えられている処理回路６１の動作を説明するためのフローチャートである。
図７は、楽音販売装置４０を用いた楽曲販売における楽音販売装置４０の処理に関する動作を示すフローチャートである。
図８は、楽音販売システム１０を適用した楽音販売方法の一例の概要を示す概念図である。
【図１】
2002041298.tif 000003
【図２】
2002041298.tif 000004
【図３】
2002041298.tif 000005
【図４】
2002041298.tif 000006
【図５】
2002041298.tif 000007
【図６】
2002041298.tif 000008
【図７】
2002041298.tif 000009
【図８】
2002041298.tif 000010
【国際調査報告】
2002041298.tif 000011
2002041298.tif 000012